(57)【要約】【課題】地球上の任意の場所における疑似太陽光を再現することができる照明装置を得る。【解決手段】地球上の複数の場所における太陽光情報を出力することができる太陽光情報源と、太陽光情報源の複数の太陽光情報の中から任意の場所の太陽光情報を選択する太陽光情報選択部１２と、選択された太陽光情報から色情報を抽出する色情報抽出部１４と、抽出された色情報に基づいて光源装置３０が照射する照明光の演色性を制御することにより疑似太陽光を得る制御部１５と、を有する。【選択図】図２
2018116771.tif 000002
【特許請求の範囲】
【請求項１】
地球上の複数の場所における太陽光情報を出力することができる太陽光情報源と、
前記太陽光情報源の複数の太陽光情報の中から任意の場所の太陽光情報を選択する太陽光情報選択部と、
選択された前記太陽光情報から色情報を抽出する色情報抽出部と、
抽出された前記色情報に基づいて光源装置が照射する照明光の演色性を制御することにより疑似太陽光を得る制御部と、を有する照明装置。
【請求項２】
前記光源装置は、発光光の色温度が異なる複数種類の光源を有してなり、前記複数種類の光源をそれぞれ前記制御部が制御する請求項１記載の照明装置。
【請求項３】
前記光源は、発光ダイオード（以下「ＬＥＤ」という）である請求項１または２記載の照明装置。
【請求項４】
前記光源装置から照射される照明光を受光して前記照明光の色成分を検出する光センサを有し、前記制御部は、前記光センサで検出された色情報と前記色情報抽出部で抽出した色情報との偏差がなくなるように前記演色性を制御する請求項１、２または３記載の照明装置。
【請求項５】
前記太陽光情報源は、予め地球上の複数の場所における場所情報と、日時情報と、それぞれの場所情報と日時情報で特定される場所と日時の太陽光情報を保存しているメモリである請求項１乃至４のいずれかに記載の照明装置。
【請求項６】
前記太陽光情報源は、ネットワークに接続されているサーバーであり、前記太陽光情報選択部、前記色情報抽出部および前記制御部は、前記ネットワークに接続されている端末が備えている１乃至４のいずれかに記載の照明装置。
【請求項７】
前記太陽光情報源は、地球上の複数の場所にあるカメラであって、前記ネットワークに接続され、撮影画像に太陽光情報を含んでいる６記載の照明装置。
【請求項８】
前記カメラは、全地球測位システム（以下「ＧＰＳ」という）を備え、前記ＧＰＳ情報と前記太陽光情報とをリンクさせて出力する請求項７記載の照明装置。
【請求項９】
前記サーバーは、前記太陽光情報選択部の選択により、前記太陽光情報源からの場所情報にリンクした太陽光情報をリアルタイムで送信することができる請求項６乃至８のいずれかに記載の照明装置。
【請求項１０】
前記光源装置は、発光光の色温度が異なる複数種類の光源が交番的に配置されている請求項１乃至９のいずれかに記載の照明装置。
【請求項１１】
前記光源装置は、複数の光源が窓枠に沿って配置されている請求項１乃至１０のいずれかに記載の照明装置。
【請求項１２】
前記光源装置は、天井の照明装置である請求項１乃至１０のいずれかに記載の照明装置。
【発明の詳細な説明】
【技術分野】
【０００１】
本発明は、疑似太陽光を得るための照明装置に関するものである。
【背景技術】
【０００２】
色に関わる分野、例えば、ファッション産業や自動車産業などでは、色の評価のために、太陽光に近い照明光、すなわち疑似太陽光による照明光が求められる。
【０００３】
特許文献１には、演色性を備えたＬＥＤ照明装置が記載されている。これは、２つ以上の互いに波長帯域の異なる光を出射する発光ダイオード（以下「ＬＥＤ」という）を有する発光部と、少なくとも３波長分の光エネルギーを測定する受光センサを有する。上記受光センサからの信号によりＬＥＤの駆動電流値を調整して、受光センサの測定値が、予め定めたホワイトバランス設定値になるようにするものである。
【０００４】
特許文献２には、青色光源Ｂ、緑色光源Ｇ、ピーク波長の異なる第１、第２の赤色光源Ｒ１，Ｒ２を有する光源部と、第１、第２の赤色光源Ｒ１，Ｒ２の出力を切り換えて演色性を変化させる電源部とを有する照明装置が記載されている。
【０００５】
特許文献１および特許文献２に記載されている発明は、照明のホワイトバランスあるいは演色性を、求める値に精度よく調整し、あるいは再現性を高めることを目的としている。
【先行技術文献】
【特許文献】
【０００６】
【特許文献１】特開２００４−２５３３０９号公報
【特許文献２】特開２０１６−１４３６０１号公報
【発明の概要】
【発明が解決しようとする課題】
【０００７】
照明装置に求められる機能として、太陽光に近い色成分からなり、かつ、各色成分の比率が太陽光に近い、いわゆる疑似太陽光による照明機能がある。しかし、疑似太陽光とは言っても、地球上の各地域によって、また、１日の時間帯によっても太陽光に含まれる色成分が異なり、各地域において、また、１日の時間帯において風景などの見た目の雰囲気が異なる。
【０００８】
疑似太陽光による照明が求められる場面を想定すると、広範にわたることがわかる。例えば、一般家庭あるいはオフィスなどの室内照明、学校や図書館や病院などの公共施設、美容室、作物の栽培や家畜の飼育などの農業分野、衣服やアクセサリーなどのファッション分野、等々、疑似太陽光による照明が求められる分野は無数にある。
【０００９】
太陽光は、前述のように、地球上の各地域および時間帯によって含まれる色成分が異なり、それに応じて視覚的な雰囲気が異なる。そこで、照明装置の用途によっては、地球上のある地域におけるある時間帯の疑似太陽光で照明すると効果的な場合がある。例えば、イタリアンレストランの室内照明は、イタリアのどこかの地域の疑似太陽光による照明にすると、イタリアの雰囲気が醸し出され、顧客の評判を高めることができる。あるいは、スポーツバーなどにおいて、外国で行われているサッカーなどのスポーツ中継をディスプレイに表示して顧客に提供する場合、現地の疑似太陽光で室内を照明することにより、現地で観戦しているような雰囲気を醸し出すことができる。
【００１０】
地球上のある地域の太陽光に倣った疑似太陽光照明は、現地のリアルタイムの太陽光に倣った疑似太陽光照明であってもよいし、現地の過去のある時点における疑似太陽光照明であってもよい。疑似太陽光照明をこのように利用することにより、サービス産業の需要増大、生産現場における生産性の向上などが期待される。
【００１１】
本発明は、地球上の任意の場所における疑似太陽光を再現することができる照明装置を提供することを目的とする。
【課題を解決するための手段】
【００１２】
本発明に係る照明装置は、
地球上の複数の場所における太陽光情報を出力することができる太陽光情報源と、
前記太陽光情報源の複数の太陽光情報の中から任意の場所の太陽光情報を選択する太陽光情報選択部と、
選択された前記太陽光情報から色情報を抽出する色情報抽出部と、
抽出された前記色情報に基づいて光源装置が照射する照明光の演色性を制御することにより疑似太陽光を得る制御部と、を有することを最も主要な特徴とする。
【発明の効果】
【００１３】
本発明によれば、太陽光情報源にある複数の太陽光情報の中から任意の場所の太陽光情報を選択することにより、選択した場所の太陽光に近い疑似太陽光照明を得ることができる。
【図面の簡単な説明】
【００１４】
【図１】本発明に係る照明装置の実施形態の概要を示すブロック図である。
【図２】前記実施形態の要部を示すブロック図である。
【図３】前記実施形態の各部の動作を示すシーケンス図である。
【図４】前記実施形態の主要部の動作を示すフローチャートである。
【図５】前記実施形態の光源装置の外観の例を示す斜視図である。
【図６】加法混合による色度図である。
【図７】黒体放射軌跡、等色温度線および色温度調整の例を示すグラフである。
【発明を実施するための形態】
【００１５】
以下、本発明に係る照明装置の実施形態について図面を参照しながら説明する。
【実施例】
【００１６】
［実施例の概要］
【００１７】
図１に示すように、本発明に係る照明装置の実施例は、インターネットなどの通信ネットワーク１を介して接続されたカメラ２、サーバー３、パーソナルコンピュータなどの端末１０を有してなる。本実施例におけるカメラ２は、太陽光情報源として機能し、地球上のあらゆる場所にある。したがって無数のカメラ２が設置されまたは携帯されている。各カメラ２は全地球測位システム（以下「ＧＰＳ」という）を備えていて、画像情報とともに場所情報を生成し送信することができる。
【００１８】
サーバー３は、通信ネットワーク１を介して各カメラ２からの画像情報と場所情報を受信してメモリに保存することができ、また、必要に応じて前記画像情報と場所情報をリアルタイムで送信することができる。したがって、サーバー３は、太陽光情報源としても機能する。
【００１９】
端末１０には光源装置３０が接続されている。端末１０は、サーバー３から画像情報およびこの画像情報とリンクした場所情報を取り込む。端末１０は、ディスプレイの表示を見ながらキーボードなどの入力装置を操作することにより、前記場所情報の中から任意の場所の場所情報を選択することができる。場所情報を選択すると、場所情報にリンクした画像情報が端末１０に入力される。端末１０は、前記画像情報に含まれる色情報を抽出し、抽出した色情報に従って光源装置３０を駆動する。前記色情報には、それぞれの色の輝度情報も含む。光源装置３０の駆動部は照明装置３０に内蔵してもよいし、光源装置３０の外に設けてもよい。
【００２０】
［照明装置の主要部の構成］
【００２１】
図２に示すように、地球上に存在している無数のカメラ２のいくつかは、前記ネットワーク１を介してサーバー３にアクセス可能に接続されている。端末１０も前記ネットワーク１を介してサーバー３にアクセス可能に接続されている。
【００２２】
端末１０は、通信インターフェース１１、情報信号選択部１２、メモリ１３、色情報抽出部１４、制御部１５を有している。通信インターフェース１１は、ネットワーク１を介して端末１０とサーバー３との間で信号を送受信する。
【００２３】
情報信号選択部１２は、サーバー３から提供される情報またはメモリ１３から得られる情報、特に場所に関わる情報の中から希望の情報を選択する。情報信号選択部１２の実態は、端末１０の操作部、すなわちキーボード、マウスなどであり、操作をサポートするディスプレイも操作部の一部を構成する。
【００２４】
メモリ１３は、サーバー３から提供される場所情報、画像情報などを保存する。メモリ１３は、端末１０がもともと有しているものであってもよいし、外付けのものであってもよい。
【００２５】
色情報抽出部１４は、情報信号選択部１２で選択された場所情報にリンクする画像情報から、色情報を抽出する。画像情報はカメラ２による撮影画像、例えば風景画像や人物画像などであって、自然光すなわち太陽光で照明された被写体の画像である。画像情報から太陽光の色情報を抽出する。したがって、被写体中に白色の物体があれば、その白色の物体が撮影された部分に含まれている色情報を抽出することにより、精度の良い色情報を得ることができる。被写体中に白色の物体がない場合でも、撮影画像から、照明光源としての太陽光に含まれる色情報を抽出することができる。
【００２６】
制御部１５は、抽出された色情報に基づいて、光源装置３０の駆動部２０の動作を制御する。
【００２７】
情報信号選択部１２、色情報抽出部１４、制御部１５は、端末１０にインストールされているソフトウェアによって動作するＣＰＵすなわち中央演算ユニットによってそれぞれの機能が実行される。
【００２８】
駆動部２０は、制御部１５からの制御信号に従って光源装置３０を駆動する。光源装置３０は発光光の色温度が異なる複数種類の光源を有していて、複数種類の光源をそれぞれ駆動部２０が駆動するとともに、駆動部２０による各光源の駆動は、制御部１５からの制御信号によって制御される。本実施例では、前記各光源は、発光ダイオード（以下「ＬＥＤ」という）である。
【００２９】
光源装置３０の前方には、光源装置３０から照射される照明光の一部を受光する光センサ４０が配置されている。光センサ４０の受光面の前面にはカラーフィルタ５０が配置されている。カラーフィルタ５０は照明光の色成分を検出するためのフィルタで、例えば、赤（Ｒ）、緑（Ｇ）、青（Ｂ）のフィルタからなり、照明光に含まれる赤（Ｒ）、緑（Ｇ）、青（Ｂ）の各色成分を検出する。
【００３０】
センサ４０は制御部１５に接続されている。光センサ４０で検出される各色成分情報は制御部１５にフィードバックされる。制御部１５は、光センサ４０で検出される色情報と色情報抽出部１４で抽出した色情報との偏差がなくなるように、駆動部２０の動作を制御し、光源装置３０から照射される照明光の演色性を制御する。
【００３１】
このようにして光源装置３０から照射される照明光は、情報信号選択部１２で選択した地球上の任意の場所の太陽光と同じ色情報をもった疑似太陽光である。この疑似太陽光で照明された空間には、情報信号選択部１２で選択した場所の雰囲気が醸し出される。
【００３２】
［光源装置］
次に、光源装置４０について、より具体的に説明する。光源装置４０は、光源として複数のＬＥＤを有する。ＬＥＤは、発光光の色温度が異なる複数種類のＬＥＤからなる。図５は光源装置４０の例を示しており、筐体の前面に発光光の色温度が異なる複数種類のＬＥＤが一定の間隔で複数列に、かつ、複数種類のＬＥＤが交番的に均等に配置されている。
【００３３】
光源装置４０は、複数種類のＬＥＤのうち少なくとも２種類のＬＥＤをそれぞれ前記制御部１５が駆動部２０を介して制御することにより、照明光の演色性を制御することができる。図５に示す光源装置４０は、主として赤色光を発光する赤色ＬＥＤ４１と主として青色光を発光する青色ＬＥＤ４２が、個別の駆動部２０を介して制御部１５で駆動および制御されるようになっている。
【００３４】
図６は、周知の加法混合による色度図である。色度図は、ｘ−ｙ平面上にほぼ三角形に近い形の線で表される。ほぼ三角形の内側は、赤（Ｒ）の領域、緑（Ｇ）の領域、青（Ｂ）の領域に分けられる。これら各領域の境界はグラデーションになっている。前記三角形の外縁に沿って付されている数字は、発光色の波長（単位：ｎｍ）を示す。赤（Ｒ）、緑（Ｇ）、青（Ｂ）の各光が交わることによって白色光になる。図６で「Ｗ」で示す領域が白色の領域で、この白色領域Ｗが太陽光に近い領域になる。
【００３５】
図７は、黒体放射軌跡、等色温度線を示すもので、図６の白色領域Ｗを拡大した図と考えてよい。図７において、ｘ−ｙ平面上に描かれている上下３本の曲線のうち上の曲線ＣＵと下の線ＣＬは、白色光の限界を示し、中央の曲線ＣＣは白色光の中心線を示している。曲線ＣＵと曲線ＣＬを結ぶ縦方向の複数の線は等色温度線で、それぞれの等色温度線に対応して記載されている数字は色温度を示している。
【００３６】
図７に示す曲線ＣＵと曲線ＣＬとの間の領域は前記白色領域Ｗに属しており、この領域内にある照明光は太陽光に近い照明光である。
【００３７】
しかし、曲線ＣＵと曲線ＣＬとの間の白色領域にある太陽光であっても、色成分の比率が異なり、視覚的な色合いが異なり、それぞれの地域の環境が醸し出す雰囲気が異なったものになる。したがって、疑似太陽光照明とはいっても、地球上のどの地域の、さらにはどの時間帯の疑似太陽光であるかによって、照明されているものから醸し出される視覚的な雰囲気が異なったものになる。
【００３８】
そこで、本発明に係る照明装置の実施例では、地球上の希望する場所の太陽光情報を選択し、この太陽光の疑似太陽光で照明することにより、希望する場所の雰囲気を共有できるようにした。
【００３９】
図７には、黒体放射軌跡、等色温度線のほかに、２つの点Ｒ１，Ｂ１を結ぶ直線Ｌが描かれている。前記点Ｒ１は、赤色系の白色ＬＥＤで発光する色温度２６００ｋの前記曲線ＣＣとの交差点を示す。前記点Ｂ１は、青色系の白色ＬＥＤで発光する色温度７７００ｋの前記曲線ＣＣとの交差点付近の点を示す。
【００４０】
前記直線Ｌは、前記赤色系の白色ＬＥＤと青色系の白色ＬＥＤの２種類の光源の発光強度を変えることにより、照明装置４０から出射される照明光の色温度を、赤色系白色の色温度２６００ｋと青色系白色の色温度７７００ｋとの間に調整することができることを示している。このように、本実施例によれば、赤色系白色ＬＥＤと青色系白色ＬＥＤの２種類の光源の発光強度を調整することにより、希望の場所の太陽光に近い照明光を得ることができる。
【００４１】
ただし、赤色系白色ＬＥＤと青色系白色ＬＥＤの２種類の光源の発光強度を変えると、２つの点Ｒ１，Ｂ１を結ぶ直線Ｌに沿って照明光の色温度が変化する。本来であれば、前記曲線ＣＣに沿って照明光の色温度を変化させるのが理想である。理想の色温度変化に近づけるために、黄色系白色、緑色系白色といった光を出射するＬＥＤを設けて、赤色系白色と青色系白色の間をより細かく調整するようにする。これら各色の色温度変化は直線的な変化であって、曲線ＣＣに倣うわけではないが、曲線ＣＣに近づき、精度の高い疑似太陽光を得ることができる。
【００４２】
［照明装置の動作］
次に、図３を参照しながら前記実施例に係る照明装置の動作を説明する。図３は、カメラ２、サーバー３、端末１０、光源装置３０、光センサ４０の動作および相互の信号の授受関係を示す。図３では、時間が上から下に向かって経過するものとして描かれており、また、動作ステップを表す符号が、Ｓ１，Ｓ２，・・・のように付されている。
【００４３】
図３において、ＧＰＳ付きの各カメラ２は、場所情報、日時情報およびそのときの太陽光情報を、前記ネットワーク１を介してサーバー３に送信する（Ｓ１）。場所情報はＧＰＳによって取得することができ、日時情報はウェブ上に提供されている標準時情報から取得することができる。太陽光情報は、カメラ２による撮影画像情報であってもよい。カメラ２に代わる光センサによって太陽光情報を得るようにしてもよい。
【００４４】
サーバー３は、各カメラ２から送信されてくる場所情報、日時情報および太陽光情報を過去の情報として蓄積し、また、指令によっては、送信されてくるリアルの上記場所情報、日時情報および太陽光情報を一時的に保持する（Ｓ２）。
【００４５】
次に、端末１０からサーバー３にアクセスする（Ｓ３）と、サーバー３から情報選択信号が送り返される（Ｓ４）。情報選択信号とは、サーバー３に蓄積されている多数の情報の中から任意の一つ選択するための信号である。端末１０のディスプレイには、情報選択信号に基づき、選択用画面がインデックスのような形で表示される（Ｓ５）。
【００４６】
端末１０に付属するキーボードやマウスなどを操作して、前記選択用画面の中から任意の情報を選択する（Ｓ６）。この選択は、地球上の任意の場所、さらに言えば地球上の任意の場所にあるカメラ２を選択することである。場所の選択によって、その場所にあるカメラ２で撮影された画像が選択される。さらには、前記場所における任意の日時に撮影された画像を選択することもできる。前記場所におけるリアルタイムの画像が存在している場合は、リアルタイムの画像を選択することもできる。
【００４７】
上記の選択によって、端末１０からサーバー３に選択信号が送信される（Ｓ７）。サーバー３は、上記選択信号に対応する画像を選択し（Ｓ８）、選択された画像の情報信号を端末１０に送信する（Ｓ９）。選択された画像の情報信号は、選択された場所の太陽光の下で撮影された画像の情報信号であるから、その場所特有の色情報を含んでいる。
【００４８】
端末１０では、サーバー３から送信されてくる画像の情報信号から色情報を抽出し、またこの色情報に基づいて駆動信号を生成する（Ｓ１０）。「駆動信号」とは、前記駆動部２０を介して光源装置３０を駆動するための信号のことである。駆動信号は、発光する色成分で区別される光源としてのＬＥＤの種類ごとに生成され、ＬＥＤの種類ごとに設けられている駆動部２０に個別に入力される（Ｓ１１）。
【００４９】
光源装置３０は、ＬＥＤの種類ごとに駆動部２０で駆動され、照明光を出射する（Ｓ１２）。この照明光は、地球上の任意の場所において撮影された画像から抽出された太陽光の色合いに倣って生成された疑似太陽光であり、疑似太陽光で照明されている空間に、前記任意の場所の視覚的な雰囲気を醸し出すことができる。
【００５０】
前記選択信号によって、過去のある場所のある時点を選択すると、その場所のその時点における太陽光と同様の照明光を得ることができる。したがって、例えば、２０△△年○月○日の□□□国◇◇スタジアムで行われたサッカーの試合の映像を鑑賞するとき、その場所のその時点を選択すれば、そのときの◇◇スタジアムの視覚的な雰囲気の中で鑑賞することができる。また、前記◇◇スタジアムで行われているサッカーの試合の実況映像を鑑賞するときは、そのときの◇◇スタジアムのリアルタイムの太陽光情報を選択することにより、◇◇スタジアムのリアルタイムの雰囲気の中で鑑賞することができる。
【００５１】
光源装置３０から出射される照明光の一部はセンサ４０によって受光され、照明光の色情報が検出される（Ｓ１３）。この検出情報信号は端末１０にフィードバックされる（Ｓ１４）。
【００５２】
端末１０は、フィードバックされた検出情報信号と、前記選択信号によって選択された画像から抽出される色情報信号との偏差を演算する（Ｓ１５）。端末１０は、前記偏差がなくなるように修正した駆動信号を光源装置３０に送信する（Ｓ１６）。光源装置３０は、選択された場所の太陽光をより一層高い精度で再現した疑似太陽光を出射することができる。
【００５３】
［端末の動作フロー］
次に、端末１０の動作フローを、図４を参照しながら説明する。端末１０からサーバー３にアクセスし（Ｓ２１）、サーバー３から送られてくる情報選択信号を受信する（Ｓ２２）。端末１０は、情報選択信号に基づき、ディスプレイに選択用画面を表示する（Ｓ２３）。
【００５４】
選択用画面中に望みの画像があれば（Ｓ２４のＹ）、その画像情報を選択する（Ｓ２５）。端末１０は、サーバー３から、選択した画像信号を受信し、受信した画像信号から色情報を抽出する（Ｓ２６）。この色情報は、前述の通り太陽光を構成する光の色成分情報である。前記画像信号からは照度情報も得ることができる。
【００５５】
次に、抽出された色情報に基づいて、光源装置３０を駆動するための駆動信号を生成する（Ｓ２７）。光源装置３０は、光源として、発光する光の色成分ごとに複数種類のＬＥＤを有しており、ＬＥＤの種類ごとに前記駆動部２０を有している。前記駆動信号は駆動部ごとに個別に生成され、各駆動信号で各駆動部を個別に駆動する（Ｓ２８）。前記駆動信号には、前記照度情報に従った駆動電流信号が含まれ、この駆動電流信号に応じて前記各ＬＥＤの駆動量が制御され、各ＬＥＤからの発光量が制御される。このようにして疑似太陽光が光源装置３０から出射される。
【００５６】
光源装置３０から出射される照明光は前記センサ４０で受光され、端末１０はセンサ４０からの検出信号を受信する（Ｓ２９）。この検出信号は、照明光の色成分を検出することによって得られる色情報信号である。端末１０はステップＳ２６で抽出された色情報信号と前記検出信号との偏差を演算する（Ｓ３０）。演算の結果偏差があるかどうかを判断し（Ｓ３１）、偏差があれば偏差を修正した駆動信号を生成し（Ｓ３２）、ステップＳ２８に戻る。このようにして精度の高い疑似太陽光を得ることができる。
【００５７】
［照明装置の変形例］
前記実施例では、太陽光情報源がカメラ２であり、また、サーバー３に備えられているものとして説明したが、過去の太陽光情報源は、端末１０のメモリ１３（図２参照）であってもよい。端末１０はサーバー３にアクセスしてサーバーから太陽光情報を取得することができ、取得した太陽光情報をメモリ１３に保存することができる。したがって、過去の太陽光情報を利用する場合は、メモリ１３に保存されている太陽光情報を用いてもよい。
【００５８】
本発明における太陽光情報源は、本来太陽光の色情報を得ることを目的とするものであるから、必ずしもカメラのように画像を得るものでなくてもよい。前述のｘ，ｙ平面上で表すことができる色度および照度を測定することができるセンサ類であってもよい。
【００５９】
前記実施例は、太陽光情報源としてのカメラ２は場所情報を取得するためＧＰＳを備えているものとして説明したが、場所情報を取得する装置はＧＰＳに限られるものではない。ネットワークに接続される機器はＩＰアドレスによって管理され、特定のＩＰアドレスを持った機器が地球上のどの場所乃至は地域にあるかはＩＰアドレスから特定することができる。よって、ネットワークに接続されるあらゆる機器場所情報を取得する装置となり得る。
【００６０】
リアルタイムで得る太陽光情報源は、複数のカメラ２およびサーバー３であり、リアルタイムで太陽光情報を受信した端末１０は、選択した場所のリアルタイムの太陽光情報に基づいた疑似太陽光を得ることができる。
【００６１】
また、スポーツの実況放送を画像で鑑賞する場合、そのスポーツが行われているスタジアムの画像を連続的に、または間欠的に取得し、取得した画像からその都度太陽光の色成分を取得して、この色成分に倣った照明光を得るようにしてもよい。こうすることにより、刻々と変化する太陽光と同様に変化する疑似太陽光による照明光を得ることができ、より一層真に迫った雰囲気を醸し出すことができる。
【００６２】
本発明に係る照明装置は、これを住宅やオフィスなどの窓や壁、天井などの照明装置として利用することができる。窓の照明装置として利用する場合は、窓枠に沿って窓枠内に光源を配置するとよい。照明装置は、照明対象を直接的に照明するものであってもよいし、間接的に照明するものであってもよい。
【００６３】
各光源の制御による各色成分の発光光量の制御は、デジタル信号によるパルス幅変調（ＰＷＭ）方式で行ってもよい。
各光源の制御による各色成分の発光光量の制御に加えて、紫外線や赤外線を出射する光源を設けて紫外線や赤外線の出射を制御するようにしてもよい。
【産業上の利用可能性】
【００６４】
本願発明に係る照明装置の用途は限定されるものではないが、用途を例示すると以下のような用途がある。
一般住宅やオフィスの室内、飲食店、スポーツバー、写真撮影スタジオ、美容院、病室、リハビリ室、美術館、乗り物の室内、ブティック、宝飾品店、地下室、工場、農作物の栽培室、家畜舎、製品検査室、日焼けサロン、など。
【符号の説明】
【００６５】
１    通信ネットワーク
２    太陽光情報源であるカメラ
３    サーバー
２０    駆動部
３０    光源装置
４０    センサ
５０    フィルタ
【図１】
2018116771.tif 000003
【図２】
2018116771.tif 000004
【図３】
2018116771.tif 000005
【図４】
2018116771.tif 000006
【図５】
2018116771.tif 000007
【図６】
2018116771.tif 000008
【図７】
2018116771.tif 000009